(57)【要約】      （修正有）【課題】輪転機給紙装置の危険作業領域において、侵入した作業者が脱出すべき時刻まで脱出できず、印刷を中断させ、損紙の発生、作業時間の遅れを発生させ、費用損失と生産性低下させることを防止する。【解決手段】輪転機給紙装置１の危険作業領域において、侵入した作業者が脱出すべき時刻までの緊急程度を表示する運転状態表示装置２０を設けた。【選択図】図１
2008000918.tif 000002
【特許請求の範囲】
【請求項１】
輪転機給紙装置の危険作業領域において、必要退出時刻までの程度を表示する運転状態表示装置を設けたことを特徴とする給紙装置。
【請求項２】
運転状態表示装置は必要退出時刻までの時間に応じた表示にした請求項１の給紙装置。
【請求項３】
必要退出時刻までの時間はウエブを繰り出している巻取紙の直径に関連した信号に基くようにした請求項２の給紙装置。
【請求項４】
必要退出時刻までの時間はウエブを繰り出している巻取紙の回転数と印刷機の運転速度から演算するようにした請求項２又は請求項３の給紙装置。
【請求項５】
運転状態表示装置の必要退出時刻までの時間に応じた表示を色光、音、数値  等の1つ又はそれらを組み合わせて表示した請求項１ないし請求項４の給紙装置。
【発明の詳細な説明】
【技術分野】
【０００１】
本発明は、輪転機の給紙部における危険作業領域の輪転機運転状況表示装置を設けた給紙装置に関する。
【背景技術】
【０００２】
従来における給紙装置の運転状況について、図６ないし図９に基づいて説明する。図６は多ウエブ印刷の輪転機を示す。１は給紙装置で巻取紙１０を装着しブレーキを掛けながら適切なテンションでウエブ（紙）１０１を繰り出す装置、２はインフィード装置でウエブ１０１を一定の速度で送り出す装置、３は印刷装置で給紙装置１から繰り出されたウエブ１０１に対し印刷を行なう装置、４は折機で印刷され重ね合わされたウエブ１０１を断裁し、折り、排出する装置である。
【０００３】
連続的に大量の印刷を行なう場合、巻取紙１０ａを使ってしまうと次の巻取紙１０ｂに自動的に糊着けし、印刷機を停止させることなく連続運転できるようになっている。即ち図９で示すように、巻取紙１０の支持装置１１は回転できるようになっていて、ウエブ１０１を繰出して、図９Ｃに示すように巻取紙１０ａが無くなる前に自動紙継装置１３により、走行ウエブ１０１を待機している巻取紙１０ｂに糊付けし、図９Ｄに示すように巻取紙１０ａから繰り出していたウエブ１０１を切断し、巻取紙１０ｂからウエブ１０１を繰り出すようになる。ウエブ１０１を繰り出していた巻取紙１０ａは残芯１０ｃとなり、待機巻取紙１０ｂが走行巻取紙１０ａへ、既に取り付けていた新巻取紙１０ｄが待機巻取紙１０ｂとなる。残芯１０ｃは巻取紙搬送装置５に受け取られ（図９Ｅ）、該搬送装置５で搬送された新巻取紙１０ｄを支持装置１１に装着する（図９Ｆ）。巻取紙搬送装置５は残芯１０ｃを乗せ、図示しない残芯回収場まで搬送、脱荷し、新巻取紙１０ｄを乗せ、次に所望の場所に搬送するようになっている。
【０００４】
上述したように、自動的に連続してウエブ１０１を供給するようになっており、高速でウエブ１０１を繰出している巻取紙１０ａが自動的に紙継のために回動するため危険であり、この近辺に人が侵入すると上述した自動的に紙継動作を行なう自動モード  を解除し、巻取紙支持装置１１が回転しないように安全装置６を設けている。安全装置６は光センサ６１で、入ってきたのが人か、巻取紙搬送装置５かを区別できるようになっており、巻取紙搬送装置５が進入した場合は自動モードを継続するようにしている。
【０００５】
ところが、この領域の中に人が侵入する必要がある場合がある。例えば、待機巻取紙１０ｂの表面のウエブ先端に取り付けている糊の保護紙の取除きとか、上述した残芯１０ｃの走行紙切断後の状態が悪く自動回収が困難で人の補助を必要とする場合などである。従って、これらの作業をする場合は運転状態を目で確認しながら行い、自動紙継に支障が無い様作業を完了させ退出するようにしている。
【０００６】
しかし、場合によっては作業に夢中になり、運転の状況を見落とす場合がある。特に図６のＸ部のように、両側の給紙装置１ｃ、１ｄが関係している領域では見落とし易い。
見落とした場合、自動モードが解除されたままとなり前述した自動紙継が出来ず、ウエブ１０１が無くなり供給が断たれ、機械が停止し、運転をし直さなければならなくなる。停止するまでの折丁は損紙となり、運転開始のためのウエブ１０１を立ち上げる間も損紙が発生する。場合によっては停止時に断紙が発生し、印圧がかかっているローラに巻きつき、ローラを損傷することも起こる。再び運転が順調になるまでの時間ロスも、生産性の低下、労働時間の増大につながり、多大の損失が発生する。  
【０００７】
印刷機における危険領域への人の侵入に対して検出する手段がある特開平９−２０８００７号や、侵入により運転を停止させる手段がある特開平９−１７４８２０号は存在するが、侵入を許容し、侵入者の安全確保する手段は見当たらない。
【０００８】
【特許文献１】特開平９−２０８００７号公報
【特許文献２】特開平９−１７４８２０号公報
【発明の開示】
【発明が解決しようとする課題】
【０００９】
前述したように輪転機の給紙装置は自動紙継のために危険作業領域があるが、その領域へ侵入する必要があり、連続運転状態を確保するための認知方法が不十分で、大きな損失を招く恐れが有る。
【課題を解決するための手段】
【００１０】
上記課題を解決するために、請求項１に記載の本発明は、輪転機給紙装置の危険作業領域において、必要退出時刻までの程度を表示する運転状態表示装置を設けたことを特徴とする。
【００１１】
また、上記課題を解決するために、請求項２に記載の本発明は、請求項１の運転状態表示装置が必要退出時刻までの時間に応じた表示にしたことを特徴とする。
【００１２】
また、上記課題を解決するために、請求項３に記載の本発明は、請求項１又は請求項２の必要退出時刻までの時間をウエブが繰り出されている巻取紙の直径に関連した信号に基くようにしたことを特徴とする。
【００１３】
また、上記課題を解決するために、請求項４に記載の本発明は、請求項１ないし請求項３に記載の必要退出時刻までの時間をウエブを繰り出している巻取紙の回転数と印刷機の運転速度から演算するようにしたことを特徴とする。
【００１４】
また、上記課題を解決するために、請求項５に記載の本発明は、請求項１ないし請求項３に記載の必要退出時刻までの時間に応じた表示を色光、音、数値  等の１つ又はそれらを組み合わせて表示したことを特徴とする。
【発明の効果】
【００１５】
本発明に記載の給紙装置によれば、前述したように輪転機の給紙装置における自動紙継時の危険領域に必要により侵入した場合でも、必要退出時刻までの時間に応じた表示をするので、退出すべき時刻を認知し易く、印刷運転における支障をきたす事無く連続運転状態を確保することができ、大きな損失を招く恐れを無くすることができる効果がある。
【発明を実施するための最良の形態】
【００１６】
（第１の実施の形態）
本発明第１の実施の形態について図１ないし図５を用いて説明する。図１は第１の実施の形態に係る運転状態表示装置２０を設けた給紙装置１の側面図で、図２は平面図である。図３Ａは第１の実施の形態に係る運転状態表示装置２０ａを示す。図４は走行巻取紙１０ａの直径と経過時間の説明図である。図５は走行巻取紙１０ａの直径ｄと経過時間Ｔのグラフを示す。
【００１７】
図１に示すように、給紙フレーム１２に運転状態表示装置２０ａを取り付けたもので、運転状態表示装置２０ａは図３Ａに示す様に安全状態を青ランプ２１、注意状態を黄ランプ２２、要退出状態を赤ランプ（パトカーランプ）２３で構成した光による運転状態表示装置を示す。この運転状態表示は例えば、自動紙継準備動作に入るまで３分以上ある時は青ランプ２１を点灯し、２分以上３分までは黄ランプ２２を点灯、２分未満は赤ランプ２３を点灯させる例を示した。時間は退避できる時間を考慮して適宜設定すればよい。また、ここでは３段階に区分したが、赤ランプ２３だけでも構わない。但し、少なくとも要退出状態のランプの場合はランプを見なくてもその色のランプが点灯しているのがわかるよう点滅又はパトカーランプのように回転式にし、わかりやすい色にするのがよい。
【００１８】
図４に基づき、走行巻取紙１０ａの直径ｄと経過時間Ｔを説明しておく。ウエブ１０１は巻取紙１０ａから速度Ｖｍｍ／分で繰り出され、紙厚はｔ  ｍｍとする。走行巻取紙１０ａの運転中の直径をｄ  ｍｍとし、自動紙継準備動作が始まる直径をｄ0  ｍｍとすると、  運転中の直径ｄ  ｍｍから、自動紙継準備動作が始まる直径ｄ0  ｍｍまでの時間Ｔは    Ｔ＝（πｄ２  ―πｄ0２  ）／４ｔＶ    分となる。
その関係をグラフにしたのが図５で、消費時間Ｔが１分、２分、３分のときの直径はｄ１１、ｄ１２、ｄ１３又は、ｄ２１、ｄ２２、ｄ２３となる。
また、印刷機運転速度Ｖ  ｍｍ／分はウエブ１０１を引き出す胴の直径をＤ  ｍｍ、該胴の回転速度をＮ  ｒｐｍとすると、  Ｖ＝πＤＮ  となる。一方、繰り出し巻取紙１０ａの回転速度ｎ  ｒｐｍは    ｎ＝Ｖ／πｄ  であるため、ｄ＝Ｖ／πｎ＝πＤＮ／πｎ＝ＤＮ／ｎ  の関係式となる。即ちウエブ１０１を引き出す胴の直径Ｄ及び回転速度Ｎは既知であるため、繰り出し巻取紙１０ａの運転中の回転数ｎを検出すれば巻取紙１０ａの直径ｄ及び前記自動紙継準備動作が始まる直径ｄ０までの消費時間Ｔを知ることが出来る。
【００１９】
運転状態表示制御装置２０１はウエブ１０１を引き出す胴の回転速度Ｎのセンサ１０２と、走行巻取紙回転速度ｎのセンサ１０３のデータを取り込み、自動紙継準備動作が始まるまでの消費時間Ｔを演算装置２０２で随時演算し、表示状態設定装置２０３で設定した時間の値に応じ、運転状態表示装置２０ａにランプ点灯信号を送り出すようになっている。
なお、表示状態設定を時間で設定する説明をしたが、通常の印刷運転速度を一定値に決めている場合、直径値で設定するようにしてもよい。
色光により運転状態を表示することにより、危険作業領域に侵入した作業者が運転状態表示装置２０ａを見るか、周辺に放たれた色光により退出時期を判断することができるので、退出時期の判断が容易で、退出時期遅延による損害を大幅に減少できる。
【００２０】
（第２の実施の形態）
本発明第２の実施の形態について説明する。
第1の実施の形態が色光による運転状態表示装置２０ａであったが、色光に音を加えたものである。図３Ｂを用いて説明する。本実施形態における運転状態表示装置２０ｂは色光による運転状態表示装置２０ａに加え、警報音発生器２４を設けたもので、第１の実施の形態の色光の種類に応じた音色の警報音を発するようにしたものである。
これにより、危険領域に侵入した作業者が作業に夢中になっていても、要退出状態になったことがより明確に認知できるようになるので更に確実に損害を減少させることができる。
なお、警報音発生器２４だけの運転状態表示装置２０ｂにしてもよい。
【００２１】
（第３の実施の形態）
第２の実施の形態が色光に音を加えた運転状態表示装置２０ｂであったものに残時間表示器２５を加えた運転状態表示装置２０ｃにしたものである。図３Ｃに示すように残時間は第１の実施例で説明した自動紙継準備動作が始まるまでの時間を表示するものである。
これにより、危険作業領域に侵入した作業者が余裕時間の認知ができ、作業を安心して実施できる効果がある。
【図面の簡単な説明】
【００２２】
【図１】本発明第１の実施の形態に係る配置説明平面図
【図２】本発明第１の実施の形態に係る配置説明側面図
【図３】Ａは本発明第１の実施の形態に係る運転状態表示装置図。  Ｂは本発明第２の実施の形態に係る運転状態表示装置図。            Ｃは本発明第３の実施の形態に係る運転状態表示装置図。
【図４】本発明第１の実施の形態に係る説明図
【図５】走行巻取紙１０ａの直径と経過時間のグラフ
【図６】従来の多ウエブ印刷の輪転機側面図
【図７】図６のＸ部拡大側面図
【図８】従来の図７のＹ−Ｙ矢視図
【図９】給紙装置自動紙継説明図
【符号の説明】
【００２３】
１  給紙装置
２  インフィード装置
３  印刷装置
４  折装置
５  巻取紙搬送装置
６  安全装置
６１  光センサ
１０  巻取紙
１０１  ウエブ
１０２  ウエブ送り胴回転速度センサ
１０３  走行巻取紙回転速度センサ
１１  巻取紙支持装置
１２  給紙フレーム
１３  自動紙継装置
２０  運転状態表示装置
２１  青ランプ
２２  黄ランプ
２３  赤ランプ（パトカーランプ）
２４  警報音発生器
２５  残時間表示装置
２０１  運転状態表示制御装置
２０２  演算装置
２０３  表示状態設定装置
ｄ  巻取紙直径
ｔ  ウエブ厚さ
Ｖ  ウエブ速度
Ｔ  経過時間
Ｄ  胴直径
Ｎ  胴回転速度
ｎ  走行巻取紙回転速度
【図１】
2008000918.tif 000003
【図２】
2008000918.tif 000004
【図３】
2008000918.tif 000005
【図４】
2008000918.tif 000006
【図５】
2008000918.tif 000007
【図６】
2008000918.tif 000008
【図７】
2008000918.tif 000009
【図８】
2008000918.tif 000010
【図９】
2008000918.tif 000011